(57)【要約】【課題】隙間を減らして様々な厚さの壁に使用できるコードブッシングを提供する。【解決手段】  一方の壁面に接触する第１接触手段を有する外筒と、他方の壁面に接触する第２接触手段を有し外筒に挿入可能な内筒とを備え、外筒は複数の第１掛止手段を備え、内筒は第１掛止手段の１つと対になって掛止可能な第２掛止手段を複数備え、少なくとも１対の第１掛止手段と第２掛止手段とが掛止された場合に、第２掛止手段と非掛止の第１掛止手段が存在し、その非掛止の第１掛止手段において、非掛止の第１掛止手段からその第１掛止手段と掛止可能な第２接触手段側にある第２掛止手段までの距離が、掛止された第１掛止手段からその第１掛止手段と掛止可能な第２接触手段側にある第２掛止手段までの距離よりも短くなる非掛止の第１掛止手段が少なくとも１つ存在するように、第１掛止手段及び第２掛止手段を配設する。【選択図】図５
2020084990.tif 000002
【特許請求の範囲】
【請求項１】
壁に設けられた孔に対して筒状に取り付けられ、その筒の中にコードを通して、前記壁により仕切られた第１空間と第２空間との間で前記コードを引き出すコードブッシングであって、
前記壁の一方の面に接触する第１接触手段を有する外筒と、
前記壁の他方の面に接触する第２接触手段を有し、前記第１接触手段と前記第２接触手段とにより前記壁が挟持されるように前記外筒に対して挿入可能に形成された内筒と、を備え、
前記外筒は、複数の第１掛止手段を備え、
前記内筒は、前記第１掛止手段の１つと対になって、前記外筒と前記内筒とを挿入方向とは逆方向に掛止可能な第２掛止手段を複数備え、
前記コードブッシングは、前記内筒を前記外筒に対して相対的に挿入しながら、掛止する前記第１掛止手段と前記第２掛止手段との組合せを変更することにより、前記第１接触手段と前記第２接触手段との距離を狭めて前記壁を挟持可能とするものであり、
少なくとも１対の第１掛止手段と第２掛止手段とが掛止された場合に、第２掛止手段と非掛止の第１掛止手段が存在し、前記非掛止の第１掛止手段からその第１掛止手段と掛止可能な前記第２接触手段側にある第２掛止手段までの距離が、前記掛止された第１掛止手段からその第１掛止手段と掛止可能な前記第２接触手段側にある非掛止の第２掛止手段までの距離よりも短くなる非掛止の第１掛止手段が少なくとも１つ存在するように、第１掛止手段及び第２掛止手段を配設したことを特徴とするコードブッシング。
【請求項２】
前記第１接触手段及び前記第２接触手段の少なくとも一方は、弾性手段を備え、
その弾性手段は、前記第１接触手段と前記第２接触手段とによって前記壁を挟持する場合に前記壁と接触して弾性変形するものであり、
前記弾性手段は、前記第１接触手段と前記第２接触手段とにより前記壁が挟持される前記第１掛止手段と前記第２掛止手段との前記組合せがいずれの組合せであっても、その状態において前記弾性手段が弾性変形するように構成されることを特徴とする請求項１記載のコードブッシング。
【請求項３】
前記内筒は、
前記第２空間から前記壁に設けられた孔に対して貫通可能であり、
前記第２接触手段が前記第２空間側の壁に接触している場合に、前記第１空間側に前記第２掛止手段が現出されるように構成され、
前記外筒は、
前記第１空間側において前記内筒を相対的に挿入するものであり、
前記第２空間側の前記壁と接触した前記第２接触手段と、前記第１空間側の前記壁と接触した前記第１接触手段とにより、前記壁を挟持することを特徴とする請求項１又は２記載のコードブッシング。
【請求項４】
前記第１掛止手段は、
一の第１掛止手段を通る挿入方向の直線上に、他の第１掛止手段が非存在となるように構成されること特徴とする請求項１から３のいずれかに記載のコードブッシング。
【発明の詳細な説明】
【技術分野】
【０００１】
本発明は、壁に設けられた孔に対して筒状に取り付けて、その筒にコードを通して、壁の一方の面から他方の面へコードを引き出すコードブッシングに関するものである。
【背景技術】
【０００２】
壁の一方の面から他方の面へコードを引き出す場合、その壁に設けられた貫通孔でコードが損傷するのを防止するために、管状のコードブッシングを貫通孔に取り付け、コードブッシングの中にコードを通すことが行われる。このようなコードブッシングには、内筒と外筒とを備えるものがある。内筒は、貫通孔に差し込み可能に構成されている。内筒は、壁を貫通し、内筒が差し込まれた壁面とは逆の面から先端が突き抜けるように構成されている。そして、外筒は、内筒が差し込まれた壁面とは逆の面から、先端が壁面から突き抜けた内筒に取り付けられるように構成されている。また、コードブッシングは、内筒と外筒とにより壁を挟み込むように構成されている。このようなコードブッシングが使用される壁の厚さは様々であるため、どのような壁の厚さであっても対応できるコードブッシングが求められている。様々な厚さの壁を貫通してコードを保護することができる管としては、例えば、特許文献１に記載された壁貫通スリーブが知られている。
【０００３】
特許文献１に記載された壁貫通スリーブは、複数の被係合凹部を備えた内筒と、その内筒に取り付けられる係合凸部を備えた外筒とからなる。被係合凹部は、内筒の円周上に沿って形成され、内筒の一方の先端からの距離が異なる位置に複数設けられている。そして、係合凸部は、内筒の一方の先端からの距離が異なる被係合凹部と段階的に係合するように構成されている。これにより、係合される係合凸部と被係合凹部との組合せが段階的に変わるため、外筒と内筒との相対的な位置を段階的に変化させることができる。即ち、このような壁貫通スリーブは、内筒の先端のうち外筒に差し込まれた側とは反対の先端から外筒までの距離を調整することにより、様々な壁の厚さに対応させることが可能である。
【先行技術文献】
【特許文献】
【０００４】
【特許文献１】特開２０１０−１２７３２１号公報
【発明の概要】
【発明が解決しようとする課題】
【０００５】
しかしながら、特許文献１に記載された壁貫通スリーブでは、外筒と内筒との相対的な位置が、被係合凹部が設けられた間隔によって決まる。そのため、内筒の先端のうち外筒に差し込まれた側とは反対の先端から外筒までの距離の長さは、必ずしも壁の厚さと合うわけではない。即ち、特許文献１に記載された壁貫通スリーブの外筒の一端側と内筒の一端側とで壁を挟持しようとした場合、外筒と壁、壁と内筒の間に隙間が生じてしまうことがあるという問題があった。
【０００６】
本発明は、上記問題点を解決するためになされたものであり、壁の厚さによらず隙間を減らして壁を挟持することができるコードブッシングを提供することを目的とする。
【課題を解決するための手段】
【０００７】
この目的を達成するために請求項１記載のコードブッシングは、壁に設けられた孔に対して筒状に取り付けられ、その筒の中にコードを通して、前記壁により仕切られた第１空間と第２空間との間で前記コードを引き出すものであって、前記壁の一方の面に接触する第１接触手段を有する外筒と、前記壁の他方の面に接触する第２接触手段を有し、前記第１接触手段と前記第２接触手段とにより前記壁が挟持されるように前記外筒に対して挿入可能に形成された内筒と、を備え、前記外筒は、複数の第１掛止手段を備え、前記内筒は、前記第１掛止手段の１つと対になって、前記外筒と前記内筒とを挿入方向とは逆方向に掛止可能な第２掛止手段を複数備え、前記コードブッシングは、前記内筒を前記外筒に対して相対的に挿入しながら、掛止する前記第１掛止手段と前記第２掛止手段との組合せを変更することにより、前記第１接触手段と前記第２接触手段との距離を狭めて前記壁を挟持可能とするものであり、少なくとも１対の第１掛止手段と第２掛止手段とが掛止された場合に、第２掛止手段と非掛止の第１掛止手段が存在し、前記非掛止の第１掛止手段からその第１掛止手段と掛止可能な前記第２接触手段側にある第２掛止手段までの距離が、前記掛止された第１掛止手段からその第１掛止手段と掛止可能な前記第２接触手段側にある非掛止の第２掛止手段までの距離よりも短くなる非掛止の第１掛止手段が少なくとも１つ存在するように、第１掛止手段及び第２掛止手段を配設する。なお、ここでいう筒とは、円筒に限らず角筒をも含む概念である。
【０００８】
請求項２記載のコードブッシングは、請求項１記載のコードブッシングにおいて、前記第１接触手段及び前記第２接触手段の少なくとも一方は弾性手段を備え、その弾性手段は、前記第１接触手段と前記第２接触手段とによって前記壁を挟持する場合に前記壁と接触して弾性変形するものであり、前記弾性手段は、前記第１接触手段と前記第２接触手段とにより前記壁が挟持される前記第１掛止手段と前記第２掛止手段との前記組合せがいずれの組合せであっても、その状態において前記弾性手段が弾性変形するように構成される。
【０００９】
請求項３記載のコードブッシングは、請求項１又は２記載のコードブッシングにおいて、前記内筒は、前記第２空間から前記壁に設けられた孔に対して貫通可能であり、前記第２接触手段が前記第２空間側の壁に接触している場合に、前記第１空間側に前記第２掛止手段が現出されるように構成され、前記外筒は、前記第１空間側において前記内筒を相対的に挿入するものであり、前記第２空間側の前記壁と接触した前記第２接触手段と、前記第１空間側の前記壁と接触した前記第１接触手段とにより、前記壁を挟持する。
【００１０】
請求項４記載のコードブッシングは、請求項１から３のいずれかに記載のコードブッシングにおいて、前記第１掛止手段は、一の第１掛止手段を通る挿入方向の直線上に、他の第１掛止手段が非存在となるように構成される。
【発明の効果】
【００１１】
請求項１記載のコードブッシングによれば、次の効果を奏する。即ち、請求項１記載のコードブッシングは、外筒と内筒とを備え、壁に設けられた孔に対して筒状に取り付けられ、その筒の中にコードを通して、壁により仕切られた第１空間と第２空間との間でコードを引き出すものである。外筒には内筒が相対的に挿入される。第１接触手段によって、外筒は、壁の一方の面と接触する。第２接触手段によって、内筒は、壁の他方の面と接触する。外筒と内筒とが壁の両面を挟むことによって、壁は挟持される。このとき、外筒に複数ある第１掛止手段の１つが、内筒に複数ある第２掛止手段の１つと対になることによって、外筒と内筒とは挿入方向の逆方法に掛止する。これにより、第１接触手段と第２接触手段との距離が広がる方向に移動することが制限される。内筒は外筒に対して相対的に挿入しながら、掛止される第１掛止手段と第２掛止手段との組合せを変更し、第１接触手段と第２接触手段との距離を狭めることで、壁を挟持する。そして、少なくとも１対の第１掛止手段と第２掛止手段とが掛止された場合には、少なくとも１つの第１掛止手段は、第２掛止手段と掛止されない状態となる。非掛止の第１掛止手段の中には、その非掛止の第１掛止手段からその第１掛止手段と掛止可能な第２接触手段側にある第２掛止手段までの距離が、掛止された第１掛止手段からその第１掛止手段と掛止可能な第２接触手段側にある第２掛止手段までの距離より短いものが少なくとも１つ存在する。これにより、外筒に内筒を相対的に挿入する場合、現在掛止されている第１掛止手段がその第１掛止手段と掛止可能な第２接触手段側にある第２掛止手段に掛止されるよりも先に、非掛止の第１掛止手段がその第１掛止手段と掛止可能な第２接触手段側にある第２掛止手段に掛止される。よって、壁を挟む外筒と内筒との相対的な位置を少しずつ変化させることができる。したがって、第１接触手段と第２接触手段とを可能な限り近付けて、外筒と内筒とにより壁を挟持しようとする場合に発生する外筒と壁との隙間、壁と内筒との隙間を極めて小さくすることができる。よって、壁の厚さによらず、外筒と壁との隙間、壁と内筒との隙間を減らして壁を挟持することができるという効果がある。
【００１２】
請求項２記載のコードブッシングによれば、請求項１記載のコードブッシングの奏する効果に加え、次の効果を奏する。即ち、第１接触手段及び第２接触手段の少なくとも一方は、弾性手段を有する。この弾性手段は、第１接触手段と第２接触手段とで壁を挟持すると弾性変形が生じる。そして、第１掛止手段と第２掛止手段との掛止の組合せがいずれの組合せであっても、第１掛止手段と第２掛止手段とが壁を挟持する状態において弾性手段は弾性変形が生じる。弾性変形が生じた弾性手段は、作用・反作用の法則により、第１接触手段及び第２接触手段の少なくとも一方を壁に押し付ける。これにより、コードブッシングをぐらつかせることなく壁に取り付けることができるという効果がある。
【００１３】
請求項３記載のコードブッシングによれば、請求項１又は２記載のコードブッシングの奏する効果に加え、次の効果を奏する。即ち、第２空間から壁に設けられた孔を貫通するように内筒が挿入される。そして、第２接触手段が第２空間側の壁に接触している場合に、第２掛止手段が第１空間側に現出し、第１空間側で外筒に対し内筒が相対的に挿入される。第２接触手段は第２空間側の壁と接触し、第１接触手段は第１空間側の壁と接触することで壁は挟持される。これにより、壁を貫通できるような内筒を用意するだけで、様々な厚さの壁に対応できるコードブッシングを提供することができるという効果がある。
【００１４】
請求項４記載のコードブッシングによれば、請求項１から３のいずれかに記載のコードブッシングの奏する効果に加え、次の効果を奏する。即ち、一の第１掛止手段を通る挿入方向の直線上に、他の第１掛止手段が非存在となる。仮に他の第１掛止手段が、一の第１掛止手段を通る挿入方向の直線上に存在する場合、一の第１掛止手段と、他の第１掛止手段とを狭い間隔で設ける必要があり、工業的な加工が極めて難しくなる。これに対して、他の第１掛止手段を、一の第１掛止手段を通る挿入方向の直線上に非存在となるように構成することにより、第１掛止手段を狭い間隔で設ける必要がなくなる。これにより、工業的な加工が容易になるため、不良品の発生を減らすことができ、コードブッシングの生産効率を上げることができるという効果がある。
【図面の簡単な説明】
【００１５】
【図１】（ａ）は、本発明の第１実施形態であるコードブッシング全体の斜視図であり、（ｂ）は、コードブッシング全体の右側面図である。
【図２】内筒を左右方向に切断した断面図である。
【図３】外筒の斜視図である。
【図４】外筒の外筒第２爪が内筒の内筒第７爪を掛止している状態でＩＶ方向に切断したときのコードブッシング１０の断面図である。
【図５】（ａ）は、外筒第２爪が内筒を掛止している状態を模式的に示した図であり、（ｂ）は、外筒第１爪が内筒を掛止している状態を模式的に示した図である。
【図６】（ａ）は、外筒第２爪が内筒を掛止し、外筒の接触面が壁と接触している状態を模式的に示した図であり、（ｂ）は、外筒第１爪が内筒を掛止し、外筒の接触面が壁と接触している状態を模式的に示した図である。
【図７】（ａ）は、本発明の第２実施形態であるコードブッシングにおいて、外筒第２爪が内筒を掛止している状態を模式的に示した図であり、（ｂ）は、外筒第１爪が内筒を掛止している状態を模式的に示した図である。
【図８】（ａ）は、本発明の第３実施形態であるコードブッシングにおいて、外筒第３爪が内筒を掛止している状態を模式的に示した図であり、（ｂ）は、外筒第２爪が内筒を掛止している状態を模式的に示した図であり、（ｃ）は、外筒第１爪が内筒を掛止している状態を模式的に示した図である。
【図９】（ａ）は、本発明の第４実施形態であるコードブッシングにおいて、外筒第３爪が内筒を掛止している状態を模式的に示した図であり、（ｂ）は、外筒第２爪が内筒を掛止している状態を模式的に示した図であり、（ｃ）は、外筒第１爪が内筒を掛止している状態を模式的に示した図である。
【発明を実施するための形態】
【００１６】
以下、本発明を実施するための形態について図面を参照して説明する。最初に図１から図３を参照して、コードブッシング１０の概要について説明する。図１（ａ）は、本発明の第１実施形態あるコードブッシング１０の全体を示した斜視図であり、図１（ｂ）は、コードブッシング１０の右側面図（図１（ａ）に示したＩｂ方向から見た図）であり、図２は、内筒１２を左右方向に切断した断面図であり、図３は、外筒１１の斜視図である。なお、本説明において、便宜上図１（ａ）に示した方向を左右方向とする。
【００１７】
コードブッシング１０は、外筒１１と内筒１２とを備えている。コードブッシング１０は、壁に設けられた孔に内筒１２を挿し込み、内筒１２を挿し込んだ壁面とは反対の壁面において内筒１２に外筒１１を挿入することで壁に取り付けられ、壁で仕切られた一方の側から他方の側へコードを引き出すものである。なお、挿入とは、外筒１１に内筒１２を挿し込む又は内筒１２に外筒１１を挿し込むという概念である。また、本実施形態において、壁に仕切られた空間のうち、外筒１１が設けられた空間を第１空間といい、壁に設けられた孔に内筒１２を挿し込む側の空間を第２空間という。
【００１８】
外筒１１は、内筒１２を壁に挿し込んだ第２空間側の壁面とは逆の第１空間側の壁面において、内筒１２に挿入して内筒１２を掛止するための部材である。内筒１２は、壁を貫通し、コードを引き出すための部材である。
【００１９】
外筒１１は、外筒第１爪３０、外筒第２爪３１を備える。一方、内筒１２は内筒爪１３を備える。外筒第１爪３０と外筒第２爪３１とは、内筒爪１３を掛止することで外筒１１を内筒１２に掛止するための爪である。内筒爪１３は、外筒第１爪３０又は外筒第２爪３１により掛止されることで、内筒１２を外筒１１に掛止させるための爪である。内筒１２に外筒１１が挿入されると、外筒第１爪３０又は外筒第２爪３１が内筒爪１３を掛止することで、外筒１１が内筒１２を掛止する。このとき、図１では壁を図示していないが、壁の左側（第１空間側の壁面）を外筒１１が押さえ、壁の右側（第２空間側の壁面）を内筒１２が押さえるようにして、壁が挟まれることになる。
【００２０】
ここで、内筒１２の構成について説明する。図１（ａ）、図２に示す通り、内筒１２は、内筒爪１３と、フランジ１４と、内筒孔１５と、円筒１６とを備える。壁に設けられた孔の内径よりも外径が大きい環状のフランジ１４が、内筒１２の右端に備えられている。フランジ１４は、第２空間側の壁面と接触し内筒１２がそれ以上左方向に移動することを制限するためのものである。そのフランジ１４から左方向に向かって直角にフランジ１４と同心円の円筒１６が設けられている。円筒１６は、壁に設けられた孔を貫通するための管である。その円筒１６の外周面には、フランジ１４と平行して環状の内筒爪１３が等間隔に複数設けられている。さらに、フランジ１４と円筒１６の内部とを貫通するように、内筒孔１５が設けられている。内筒孔１５は、コードを円筒１６の中を貫通させるための孔である。
【００２１】
円筒１６の外径は、後述の外筒１１の外筒孔３３の内径よりも小さく、外筒孔３３に円筒１６を貫通させることができる。上述の通り、円筒１６に設けられた内筒爪１３のいずれかが、外筒１１に設けられた外筒第１爪３０又は外筒第２爪３１により掛止されることで、内筒１２は外筒１１により掛止される。このとき、掛止される内筒爪１３と外筒第１爪３０及び外筒第２爪３１との組合せを変えることで、外筒１１と内筒１２との相対的な位置を変化させる。
【００２２】
また、円筒１６の外径は、壁に設けられた孔の内径よりも小さく構成されているため、壁に設けられた孔に円筒１６を挿し込むことができる。また、円筒１６の左端からフランジ１４までの距離は、円筒１６が壁に設けられた孔を貫通し、外筒１１に掛止される程度の長さを有している。そのため、内筒１２の円筒１６を壁に設けられた孔に円筒１６を貫通させて、第１空間側で壁から突出した円筒１６に外筒１１を挿入することで、外筒１１は内筒１２を掛止することができる。
【００２３】
図２に示す通り、内筒１２の円筒１６の外周面は、円周上に沿って８つの鋸歯状の内筒爪１３（内筒第１爪１３ａ〜内筒第８爪１３ｈ）が、左右方向に等間隔に形成される。各内筒爪１３は、フランジ１４側では円筒１６と直角に交わり、左端側では円筒１６と鋭角に交わるように設けられている。
【００２４】
円筒１６の内周面は、突起物等を有さない滑らかな構造となっている。これにより、円筒１６の中にコードを貫通させる際に、コードが通りやすくなっている。また、フランジ１４の左面には当接面１７が設けられている。当接面１７は、フランジ１４において第２空間側の壁面と接触するための面である。当接面１７は平面となっているため、壁と密着することができる。
【００２５】
次に、外筒１１の構成について説明する。図１（ａ）、図３に示す通り、外筒１１は、扁平な環状の円筒形状をしており、外筒第１爪３０と、外筒第２爪３１と、接触面３２と、外筒孔３３と、支持部材３４と、凹部３５とを備える。外筒孔３３は、外筒１１を内筒１２に挿入するための孔である。また、外筒１１は、環状となった外筒１１の円の中心に対して、点対称の位置に１対の外筒第１爪３０ａ、３０ｂを備える（以下、１対の外筒第１爪を外筒第１爪３０という）。そして、外筒１１は、各外筒第１爪３０ａ、３０ｂから時計回り方向に約９０度ずれた位置に１対の外筒第２爪３１ａ、３１ｂを備える（以下、１対の外筒第２爪を外筒第２爪３１という）。外筒第１爪３０と外筒第２爪３１とは、環状になった外筒１１の内周から外筒孔３３に向かって突出した爪を備える。
【００２６】
外筒第１爪３０と外筒第２爪３１とは、それぞれ点対称の位置に対となって設けられている。そのため、外筒１１が内筒１２を掛止する場合、外筒１１からの力が内筒１２に均等に作用する。よって、外筒１１が内筒１２をしっかり固定することができるという効果がある。
【００２７】
さらに、外筒１１は、各外筒第１爪３０ａ、３０ｂから時計回り方向に約４５度ずれた位置に１対の接触面３２ａ、３２ｂを備える（以下、１対の接触面を接触面３２という）。接触面３２は、外筒１１において第１空間側の壁と接触するための面である。
【００２８】
接触面３２は、外筒１１の右側の底面（内筒１２の円筒１６が外筒孔３３に挿入された場合のフランジ１４側の面）に設けられた凹部３５に、外筒１１の外周側から後述の板バネの特性を持った支持部材３４により、外筒１１の右側の底面から突出して壁面と弾接可能に支持されている。
【００２９】
なお、外筒１１の外径は、壁に設けられた孔の内径よりも大きい。そのため、外筒１１は壁に設けられた孔に挿入することはできず、外筒１１の右側の底面が第１空間側の壁と接触した状態では外筒１１はそれ以上右側へ移動することできない。
【００３０】
外筒１１の右側の底面から外筒第１爪３０ａの爪の先端部分までの挿入方向の間隔と、外筒１１の右側の底面から外筒第１爪３０ｂの爪の先端部分までの挿入方向の間隔とは、等しく設置されている。そのため、外筒第１爪３０ａが内筒第１爪１３ａ〜内筒第８爪１３ｈのいずれかと掛止状態にある場合は、外筒第１爪３０ｂは外筒第１爪３０ａが掛止しているのと同じ内筒爪１３を掛止する。即ち、外筒第１爪３０ａ、３０ｂは、向かい合って１つの内筒爪１３を掛止する。
【００３１】
同様に、外筒１１の右側の底面から外筒第２爪３１ａの爪の先端部分までの挿入方向の間隔と、外筒１１の右側の底面から外筒第２爪３１ｂの爪の先端部分までの挿入方向の間隔とは、等しく設置されている。そのため、外筒第２爪３１ａが内筒第１爪１３ａ〜内筒第８爪１３ｈのいずれかと掛止状態にある場合は、外筒第２爪３１ｂは外筒第２爪３１ａが掛止しているのと同じ内筒爪１３を掛止する。即ち、外筒第２爪３１ａ、３１ｂは、向かい合って１つの内筒爪１３を掛止する。
【００３２】
一方で、外筒１１の右側の底面から外筒第１爪３０の爪の先端部分までの挿入方向の間隔は、外筒１１の右側の底面から外筒第２爪３１の爪の先端部分までの挿入方向の間隔より長くなっている。詳細は後述するが、外筒第１爪３０が内筒第１爪１３ａ〜内筒第８爪１３ｈのいずれか１つと掛止状態にある場合、外筒第２爪３１はいずれの内筒爪１３も掛止しないように構成されている。逆に、外筒第２爪３１が内筒第１爪１３ａ〜内筒第８爪１３ｈのいずれか１つを掛止している場合、外筒第１爪３０はいずれの内筒爪１３も掛止しないように構成されている。
【００３３】
外筒第１爪３０、外筒第２爪３１は、外筒第１爪３０、外筒第２爪３１の左側に外筒１１の内周面と直角の向きに設けられた面を有し、外筒第１爪３０、外筒第２爪３１の右側に外筒１１の内周面と鋭角の向きに設けられた面を有する。
【００３４】
支持部材３４は、接触面３２を壁面と弾接可能に外筒１１に支持するための部材である。外筒１１が壁側に押込まれて第１空間側の壁と接触面３２とが接触した場合、接触面３２を介して支持部材３４が変形する。凹部３５は、支持部材３４が弾性変形した場合に支持部材３４を格納するための空間である。
【００３５】
次に、図４を参照して外筒１１が内筒１２を掛止する状態について説明する。図４は、外筒１１の外筒第２爪３１ａが内筒１２の内筒第７爪１３ｇを掛止している状態でＩＶ方向に切断したときのコードブッシング１０の断面図である。図４の上半分では、内筒１２と外筒第２爪３１ａとを実線で示し、そのときの外筒第１爪３０ａの状態を想像線で示す。図４の下半分では、内筒１２と外筒第１爪３０ａとを実線で示し、そのときの外筒第２爪３１ａの状態を想像線で示す。
【００３６】
先述の通り、内筒爪１３はフランジ１４側では円筒１６と直角に交わり、左端側では円筒１６と鋭角に交わって設けられている。一方で、外筒第１爪３０、外筒第２爪３１は、外筒第１爪３０、外筒第２爪３１の左側に外筒１１の内周面と直角の向きに設けられた面と、外筒第１爪３０、外筒第２爪３１の右側に外筒１１の内周面と鋭角の向きに設けられた面とを有する。
【００３７】
外筒１１の外筒第１爪３０ａ、外筒第２爪３１ａの右側の面が、円筒１６と鋭角に交わる内筒爪１３の面を摺動することで、外筒１１は、内筒１２の左端からフランジ１４側（挿入方向）へと移動することができる。一方で、外筒１１の内周面と直角に交わる外筒第１爪３０ａ、外筒第２爪３１ａの左側の面が、円筒１６と直角に交わる内筒爪１３の面と対向することで、内筒１２が右方向に移動することが制限され、外筒１１は内筒１２を掛止する。このとき、外筒１１が内筒１２を掛止すると共に内筒１２も外筒１１を掛止しているため、内筒１２は、外筒１１が内筒１２のフランジ１４側から左端側（挿入方向の逆方向）へ移動することを制限する。したがって、内筒１２に外筒１１が挿入されると、外筒１１はフランジ１４方向（挿入方向）に移動することはできるが、一旦外筒第１爪３０ａ又は外筒第２爪３１ａが内筒爪１３を掛止すると、外筒１１は左方向（挿入方向の逆方向）に戻ることはできない。
【００３８】
図４に示す状態のように、外筒１１の外筒第２爪３１ａが内筒１２の内筒爪１３を掛止している場合、外筒１１の外筒第１爪３０ａは、内筒１２の内筒爪１３を掛止しておらず摺動可能な状態になっている。
【００３９】
外筒１１が右方向（挿入方向）に移動すると、今度は外筒１１の外筒第１爪３０ａが、内筒１２の内筒爪１３を掛止する。その場合、外筒１１の外筒第２爪３１ａは、内筒１２の内筒爪１３を掛止しておらず摺動可能な状態になる。
【００４０】
このように、外筒１１が右方向（挿入方向）に移動すると、外筒第１爪３０と外筒第２爪３１との一方は内筒爪１３を掛止して、他方は内筒爪１３と非掛止の状態になる。
【００４１】
次に、図５を参照して外筒第１爪３０と、外筒第２爪３１と、内筒爪１３との関係性について説明する。図５（ａ）は、外筒第２爪３１ａが内筒第４爪１３ｄを掛止している状態を模式的に示した図であり、図５（ｂ）は、外筒第１爪３０ａが内筒第４爪１３ｄを掛止している状態を模式的に示した図である。これらの図では、内筒爪１３に対して、外筒第１爪３０ａと外筒第２爪３１ａとが、挿入方向（内筒１２の左端からフランジ１４に向かう方向）に相対的にどのような位置関係にあるかを模式的に示しており、内筒１２と外筒第２爪３１ａとを実線で示し、そのときの外筒第１爪３０ａの状態を想像線で示している。
【００４２】
本実施形態において内筒爪１３は、距離Ｐ１の間隔で等間隔に設けられている。一方、外筒第１爪３０ａと外筒第２爪３１ａとの左右方向（挿入方向）の間隔は、距離Ｐ２である。Ｐ１とＰ２との関係は次式（１）で表される。
【００４３】
Ｐ２＝Ｐ１×１／２・・・（１）
【００４４】
即ち、距離Ｐ２は、距離Ｐ１の半分である。そのため、図５（ａ）に示す通り、外筒第２爪３１ａが内筒第４爪１３ｄを掛止している場合、外筒第１爪３０ａは、いずれの内筒爪１３も掛止していない。
【００４５】
図５（ａ）の状態から、内筒１２に外筒１１が挿入される（外筒１１が挿入方向に移動する）と、外筒１１と内筒１２とは、図５（ｂ）の状態に移行する。即ち、外筒第２爪３１ａの内筒第４爪１３ｄに対する掛止が外れて、外筒第２爪３１ａが内筒第３爪１３ｃを掛止するのよりも先に、外筒第１爪３０ａが内筒第４爪１３ｄを掛止する。これは、外筒第２爪３１ａが内筒第３爪１３ｃを掛止するためには、距離Ｐ１移動する必要があるのに対して、外筒第１爪３０ａが内筒第４爪１３ｄを掛止するためには、距離Ｐ１の半分の距離（即ち、距離Ｐ２）を移動するだけで済むからである。
【００４６】
同様に、内筒１２に外筒１１がさらに挿入される（外筒１１が挿入方向に移動する）と、外筒１１の外筒第１爪３０ａの内筒第４爪１３ｄに対する掛止が外れて、外筒第１爪３０ａが内筒第３爪１３ｃを掛止するのよりも先に、外筒第２爪３１ａが内筒第３爪１３ｃを掛止する。これは、外筒第１爪３０ａが内筒第３爪１３ｃを掛止するためには、距離Ｐ１移動する必要があるのに対して、外筒第２爪３１ａが内筒第３爪１３ｃを掛止するためには、距離Ｐ１の半分の距離（即ち、距離Ｐ２）を移動するだけで済むからである。以降も同様に、外筒１１は、外筒第１爪３０ａ、外筒第２爪３１ａが掛止する内筒爪１３の組合せを変えながら内筒１２を掛止し、外筒１１は距離Ｐ１の１／２の距離ずつ挿入方向へ移動する。
【００４７】
これにより、外筒１１は、距離Ｐ１の半分ずつフランジ１４側へ移動することが可能となる。そのため、コードブッシング１０は、外筒１１の接触面３２と内筒１２の当接面１７とを可能な限り近付けて、外筒１１と内筒１２とにより壁を挟持しようとする場合に発生する外筒１１と第１空間側の壁面との隙間と、内筒１２と第２空間側の壁面の隙間とを極めて小さくすることができるという効果がある。
【００４８】
ところで、仮に外筒第１爪３０ａを通る挿入方向の直線上に、外筒第２爪３１ａを設けるとすると、上式（１）を満足するような間隔で外筒第１爪３０ａと外筒第２爪３１ａとを外筒１１に設けるには、狭い間隔で２つの爪を設ける必要があるため工業的な加工が極めて難しくなる。本実施形態に係るコードブッシング１０では、上述の通り各外筒第１爪３０ａ、３０ｂから時計回り方向に約９０度ずれた位置に１対の外筒第２爪３１ａ、３１ｂが設けられており、外筒第２爪３１は、外筒第１爪３０を通る挿入方向の直線上に非存在となるように設けられている。そのため、外筒１１の右側の底面から外筒第１爪３０ａの爪の先端部分までの挿入方向の間隔と、外筒１１の右側の底面から外筒第２爪３１ａの爪の先端部分までの挿入方向の間隔との差を簡単に調節することができるという効果がある。
【００４９】
また、本発明によれば、内筒爪１３の間隔を狭めることなく、外筒１１が段階的に移動する移動距離を短くすることができる。そのため、内筒爪１３を工業的に加工する際に、高度な精度を求める必要がない。よって、不良品の発生を減らすことができ、コードブッシング１０の生産効率を上げることができる。
【００５０】
次に、図６を参照して外筒１１が壁ｗと接触する場合における、接触面３２の動作について説明する。図６（ａ）は、外筒１１の外筒第２爪３１ａが内筒１２の内筒第５爪１３ｅを掛止し、外筒１１の接触面３２ａが壁ｗと接触している状態を模式的に示した図であり、図６（ｂ）は、外筒１１の外筒第１爪３０ａが内筒１２の内筒第５爪１３ｅを掛止し、外筒１１の接触面３２ａが壁ｗと接触している状態を模式的に示した図である。これらの図では、内筒１２、接触面３２、支持部材３４、外筒第２爪３１ａを実線で示し、このときの外筒第１爪３０ａの状態を想像線で示している。
【００５１】
図６（ａ）では、外筒第２爪３１ａが内筒第５爪１３ｅを掛止している。そして、支持部材３４は弾性変形していない状態で、接触面３２ａは壁ｗと第１空間側で接触している。また、フランジ１４の当接面１７は、接触面３２ａが接している第１空間側の壁面の反対側の第２空間側の壁面と接触している。このとき、外筒１１から第１空間側の壁面に向かって接触面３２ａが突き出ている距離は、距離Ｑ１である。
【００５２】
図６（ｂ）では、外筒１１が第１空間側の壁面に１段階近付き、外筒第１爪３０ａが内筒第５爪１３ｅを掛止している。そして、支持部材３４は外筒１１と壁ｗとに挟まれることにより弾性変形した状態で、接触面３２ａは壁ｗと接触している。このとき、外筒１１から第１空間側の壁面に向かって接触面３２ａが突き出ている距離は、距離Ｑ２である。距離Ｑ１と距離Ｑ２と上述の距離Ｐ２との関係は、次式（２）で表すことができる。
【００５３】
Ｑ１−Ｐ２＝Ｑ２・・・（２）
【００５４】
即ち、支持部材３４は、外筒１１が壁ｗ側に近付いた分（距離Ｐ２）だけ弾性変形をしている。そして、支持部材３４が弾性変形した状態で、外筒第１爪３０ａが内筒第５爪１３ｅを掛止し、接触面３２ａと内筒１２の当接面１７とが壁ｗと接触している。このとき、支持部材３４は、外筒１１と壁ｗとに挟まれることで弾性変形して、作用・反作用の法則により、外筒第１爪３０ａを内筒第５爪１３ｅに押し返しつつ、接触面３２ａを壁ｗに押し返している。これにより、外筒１１と内筒１２とで壁ｗを挟持しようとする場合、コードブッシング１０をぐらつかせることなく壁に取り付けることができるという効果がある。
【００５５】
以上説明した通り、第１実施形態のおけるコードブッシング１０によれば、外筒第１爪３０と外筒第２爪３１との一方が内筒爪１３を掛止している場合、他方は内筒爪１３と非掛止の状態となっている。この状態で外筒１１を挿入方向に移動させると、次は内筒爪１３と非掛止であった外筒第１爪３０又は外筒第２爪３１が内筒爪１３を掛止する。このときの移動距離は、掛止している外筒第１爪３０又は外筒第２爪３１から挿入方向にある次の内筒爪１３までの距離の半分である。これにより、外筒１１を少しずつフランジ１４側へ移動しながら内筒１２を掛止することが可能となる。そのため、外筒１１の接触面３２と内筒１２の当接面１７とを可能な限り近付けて、外筒１１と内筒１２とにより壁を挟持しようとする場合に発生する外筒１１と第１空間側の壁面との隙間と、内筒１２と第２空間側の壁面の隙間とを極めて小さくすることができる。よって、壁の厚さによらず、外筒１１と第１空間側の壁面との隙間、第２空間側の壁面と内筒１２との隙間を減らして壁を挟持することができるという効果がある。
【００５６】
また、一方の壁面である第２空間側の壁面から壁に設けられた孔を貫通するように内筒１２が挿し込まれる。そして、当接面１７が第２空間側の壁面に接触している場合に、内筒爪１３は、内筒１２が挿し込まれた第２空間側の壁面とは逆の第１空間側に現出し、第１空間側で内筒１２に外筒１１が挿入される。このとき外筒１１は内筒爪１３の間隔の半分の間隔でフランジ１４側へ移動しながら内筒１２を掛止する。そして、当接面１７は内筒１２が挿入された側の第２空間側の壁面と接触し、接触面３２は内筒１２が挿入された第２空間側の壁面とは逆の第１空間側の壁面と接触することで壁は挟持される。これにより、壁を貫通できるような内筒１２を用意するだけで、様々な厚さの壁に対応できるコードブッシング１０を提供することができるという効果がある。
【００５７】
次に、図７を参照して第２実施形態におけるコードブッシング１０について説明する。第１実施形態において外筒第１爪３０と外筒第２爪３１との挿入方向の間隔が、内筒爪１３の設けられた間隔の１／２である場合について説明した。これに対して、第２実施形態のコードブッシング１０は、外筒第１爪３０と外筒第２爪３１との挿入方向の間隔を、内筒爪１３が設けられた間隔の３／２とする。
【００５８】
以下、第２実施形態のコードブッシング１０について、第１実施形態のコードブッシング１０と相違する点を中心に説明し、第１実施形態のコードブッシング１０と同一の構成については、同一の符号を付してその説明を省略する。
【００５９】
図７（ａ）は、第２実施形態におけるコードブッシング１０において外筒第２爪３１ａが内筒１２を掛止している状態を模式的に示した図であり、図７（ｂ）は、外筒第１爪３０ａが内筒１２を掛止している状態を模式的に示した図である。これらの図では、内筒爪１３に対して、外筒第１爪３０ａと外筒第２爪３１ａとが、左右方向（内筒１２の左端からフランジ１４に向かう方向）に相対的にどのような位置関係にあるかを模式的に示しており、内筒１２と外筒第２爪３１ａとを実線で示し、そのときの外筒第１爪３０ａの状態を想像線で示している。
【００６０】
図７（ａ）に示す通り、外筒第２爪３１ａが内筒第３爪１３ｃを掛止している。このとき、外筒第１爪３０ａは、いずれの内筒爪１３も掛止していない。また、上述の通り、外筒第１爪３０ａと外筒第２爪３１ａとの挿入方向の間隔は、内筒爪１３が設けられた間隔の３／２である。内筒爪１３が設けられた間隔である距離Ｐ１と、外筒第１爪３０ａと外筒第２爪３１ａとの左右方向（挿入方向）の間隔である距離Ｐ３との関係は次式（３）で表される。
【００６１】
Ｐ３＝Ｐ１×３／２・・・（３）
【００６２】
また、外筒第２爪３１ａから挿入方向の次の内筒爪１３である内筒第２爪１３ｂまでの距離は、Ｐ１である。これに対して、外筒第１爪３０ａから挿入方向の次の内筒爪１３である内筒第４爪１３ｄまでの距離Ｐ４は次式（４）で表すことができる。
【００６３】
Ｐ４＝Ｐ３−Ｐ１
＝Ｐ１／２・・・（４）
【００６４】
図７（ａ）の状態から、内筒１２に外筒１１が挿入される（外筒１１が挿入方向に移動する）と、外筒１１と内筒１２とは、図７（ｂ）の状態に移行する。即ち、外筒第２爪３１ａの内筒第３爪１３ｃに対する掛止が外れて、外筒第２爪３１ａが内筒第２爪１３ｂを掛止するのよりも先に、外筒第１爪３０ａが内筒第４爪１３ｄを掛止する。これは、外筒第２爪３１ａが内筒第３爪１３ｃを掛止するためには、外筒１１が距離Ｐ１移動する必要があるのに対して、外筒第１爪３０ａが内筒第４爪１３ｄを掛止するためには、外筒１１は距離Ｐ１の半分の距離（即ち、距離Ｐ４）を移動するだけで済むからである。
【００６５】
同様に、内筒１２に外筒１１がさらに挿入される（外筒１１が挿入方向に移動する）と、外筒１１の外筒第１爪３０ａの内筒第４爪１３ｄに対する掛止が外れて、外筒第１爪３０ａが内筒第３爪１３ｃを掛止するのよりも先に、外筒第２爪３１ａが内筒第２爪１３ｂを掛止する。これは、外筒第１爪３０ａが内筒第３爪１３ｃを掛止するためには、距離Ｐ１移動する必要があるのに対して、外筒第２爪３１ａが内筒第２爪１３ｂを掛止するためには、距離Ｐ１の半分の距離（即ち、距離Ｐ４）を移動するだけで済むからである。以降も同様に、外筒１１は、外筒第１爪３０ａ、外筒第２爪３１ａが掛止する内筒爪１３の組合せを変えながら内筒１２を掛止し、外筒１１は距離Ｐ１の１／２の距離ずつ挿入方向へ移動する。
【００６６】
第２実施形態におけるコードブッシング１０では、外筒第１爪３０と外筒第２爪３１との挿入方向の間隔を内筒爪１３が設けられた間隔の３／２倍に広げたにもかかわらず、外筒１１が移動する距離を第１実施形態と同じく距離Ｐ１の半分とすることができる。これにより、外筒第１爪３０と外筒第２爪３１との挿入方向の間隔や内筒爪１３の間隔を狭めることなく、外筒１１が段階的に移動する移動距離を短くすることができる。即ち、外筒１１は内筒爪１３の間隔の半分の間隔でフランジ１４側へ移動しながら内筒１２を掛止する。そのため、コードブッシング１０を工業的に加工する場合に、高度な精度を求めなくても、壁の厚さによらず、外筒１１と第１空間側の壁面との隙間、第２空間側の壁面と内筒１２との隙間を減らして壁を挟持することができる。よって、不良品の発生を減らすことができ、コードブッシング１０の生産効率を上げることができるという効果がある。
【００６７】
その他、第２実施形態におけるコードブッシング１０は、第１実施形態におけるコードブッシング１０と同一の構成部分に基づいて、第１実施形態におけるコードブッシング１０と同様の作用効果を奏する。
【００６８】
次に、図８を参照して第３実施形態におけるコードブッシング１０について説明する。第１実施形態におけるコードブッシング１０では外筒１１に２対の爪（外筒第１爪３０及び外筒第２爪３１）を内筒爪１３が設けられた間隔の１／２の間隔で設ける場合について説明した。これに対し、第３実施形態におけるコードブッシング１０では、外筒１１に３対の爪（外筒第１爪４０、外筒第２爪４１、外筒第３爪４２）を設け、外筒第１爪４０と外筒第２爪４１との挿入方向の間隔、外筒第２爪４１と外筒第３爪４２との挿入方向の間隔をそれぞれ内筒爪１３が設けられた間隔の１／３の間隔で設ける。
【００６９】
以下、第３実施形態のコードブッシング１０について、第１実施形態のコードブッシング１０と相違する点を中心に説明し、第１実施形態のコードブッシング１０と同一の構成については、同一の符号を付してその説明を省略する。
【００７０】
図８（ａ）は、第３実施形態におけるコードブッシング１０の外筒第３爪４２ａが内筒１２を掛止している状態を模式的に示した図であり、図８（ｂ）は、外筒第２爪４１ａが内筒１２を掛止している状態を模式的に示した図であり、図８（ｃ）は、外筒第１爪４０ａが内筒１２を掛止している状態を模式的に示した図である。これらの図では、内筒爪１３に対して、外筒第１爪４０ａと外筒第２爪４１ａと外筒第３爪４２ａとが、左右方向（内筒１２の左端からフランジ１４に向かう方向）に相対的にどのような位置関係にあるかを模式的に示しており、内筒１２と外筒第２爪４１ａとを実線で示し、そのときの外筒第１爪４０ａと外筒第３爪４２ａとの状態を想像線で示している。
【００７１】
図８（ａ）に示す通り、外筒第１爪４０ａ、外筒第２爪４１ａ、外筒第３爪４２ａは、外筒１１における左右方向の異なる位置に設けられており、一番左には外筒第１爪４０ａ、真ん中には外筒第２爪４１ａ、一番右には外筒第３爪４２ａが設けられている。
【００７２】
なお、図示しないが、外筒１１は、環状となった外筒１１の円の中心に対して、点対称位置に１対の外筒第１爪４０ａ、４０ｂを備える（１対の外筒第１爪を外筒第１爪４０という）。そして、外筒１１は、各外筒第１爪４０ａ、４０ｂから時計回り方向に約６０度ずれた位置に１対の外筒第２爪４１ａ、４１ｂを備える（１対の外筒第２爪を外筒第２爪４１という）。さらに、外筒１１は、外筒第２爪４１ａ、４１ｂから時計回り方向に約６０度ずれた位置に外筒第３爪４２ａ、４２ｂを備える（１対の外筒第３爪を外筒第３爪４２という）。
【００７３】
図８（ａ）において、外筒第３爪４２ａが内筒第４爪１３ｄを掛止している。このとき、外筒第１爪４０ａと外筒第２爪４１ａとは、いずれの内筒爪１３も掛止していない。また、外筒第１爪４０ａと外筒第２爪４１ａとの挿入方向の間隔と、外筒第２爪４１ａと外筒第３爪４２ａとの挿入方向の間隔とは、距離Ｐ５である。内筒爪１３が設けられた間隔である距離Ｐ１と距離Ｐ５との関係は次式（５）で表すことができる。
【００７４】
Ｐ５＝Ｐ１×１／３・・・（５）
【００７５】
図８（ａ）の状態から、内筒１２に外筒１１が挿入されると、外筒１１と内筒１２とは、図８（ｂ）の状態に移行する。即ち、外筒第３爪４２ａの内筒第４爪１３ｄに対する掛止が外れて、今度は外筒第２爪４１ａが内筒第４爪１３ｄを掛止する。このとき、外筒１１は、距離Ｐ５（内筒爪１３が設けられた間隔の１／３）だけフランジ１４側に移動することができる。
【００７６】
図８（ｂ）の状態から、内筒１２が外筒１１に挿入されると、外筒１１と内筒１２とは、図８（ｃ）の状態に移行する。即ち、外筒第２爪４１ａの内筒第４爪１３ｄに対する掛止が外れて、今度は外筒第１爪４０ａが内筒第４爪１３ｄを掛止する。このとき、外筒１１は、距離Ｐ５（内筒爪１３が設けられた間隔の１／３）だけフランジ１４側に移動することができる。
【００７７】
同様に、内筒１２に外筒１１がさらに挿入される（外筒１１が挿入方向に移動する）と、外筒１１の外筒第１爪４０ａの内筒第４爪１３ｄに対する掛止が外れて、外筒第１爪４０ａ、外筒第２爪４１ａが内筒第３爪１３ｃを掛止するのよりも先に、外筒第３爪４２ａが内筒第３爪１３ｃを掛止する。これは、外筒第１爪４０ａが内筒第３爪１３ｃを掛止するためには、距離Ｐ１移動する必要があり、外筒第２爪４１ａが内筒第３爪１３ｃを掛止するためには、距離Ｐ１×２／３移動する必要があるのに対して、外筒第３爪４２ａが内筒第３爪１３ｃを掛止するためには、距離Ｐ１の１／３の距離を移動するだけで済むからである。以降も同様に、外筒１１は、外筒第１爪４０ａ、外筒第２爪４１ａ、外筒第３爪４２ａが掛止する内筒爪１３の組合せを変えながら内筒１２を掛止し、外筒１１は距離Ｐ１の１／３の距離ずつ挿入方向へ移動する。
【００７８】
これにより、外筒１１を少しずつフランジ１４側へ移動することが可能となる。そのため、外筒１１の接触面３２と内筒１２の当接面１７とを可能な限り近付けて、外筒１１と内筒１２とにより壁を挟持しようとする場合に発生する外筒１１と第１空間側の壁面との隙間と、内筒１２と第２空間側の壁面の隙間とを極めて小さくすることができるという効果がある。
【００７９】
その他、第３実施形態におけるコードブッシング１０は、第１実施形態におけるコードブッシング１０と同一の構成部分に基づいて、第１実施形態におけるコードブッシング１０と同様の作用効果を奏する。
【００８０】
次に、図９を参照して第４実施形態におけるコードブッシング１０について説明する。第１実施形態におけるコードブッシング１０では外筒１１に２対の爪（外筒第１爪３０と外筒第２爪３１）を内筒爪１３が設けられた間隔の１／２の間隔で設ける場合について説明した。これに対し、第４実施形態におけるコードブッシング１０では、外筒１１に３対の爪（外筒第１爪４０、外筒第２爪４１、外筒第３爪４２）を設け、外筒第１爪４０と外筒第２爪４１との挿入方向の間隔、外筒第２爪４１と外筒第３爪４２との挿入方向の間隔をそれぞれ内筒爪１３が設けられた間隔の２／３の間隔で設ける。
【００８１】
以下、第４実施形態のコードブッシング１０について、第１実施形態のコードブッシング１０と相違する点を中心に説明し、第１実施形態のコードブッシング１０と同一の構成については、同一の符号を付してその説明を省略する。
【００８２】
図９（ａ）は、第４実施形態におけるコードブッシング１０の外筒第３爪４２ａが内筒１２を掛止している状態を模式的に示した図であり、図９（ｂ）は、外筒第２爪４１ａが内筒１２を掛止している状態を模式的に示した図であり、図９（ｃ）は、外筒第１爪４０ａが内筒１２を掛止している状態を模式的に示した図である。これらの図では、内筒爪１３に対して、外筒第１爪４０ａと外筒第２爪４１ａと外筒第３爪４２ａとが、左右方向（内筒１２の左端からフランジ１４に向かう方向）に相対的にどのような位置関係にあるかを模式的に示しており、内筒１２と外筒第２爪４１ａとを実線で示し、そのときの外筒第１爪４０ａと外筒第３爪４２ａとの状態を想像線で示している。
【００８３】
図９（ａ）に示す通り、外筒第１爪４０ａ、外筒第２爪４１ａ、外筒第３爪４２ａは外筒１１における左右方向の異なる位置に設けられており、一番左には外筒第１爪４０ａ、真ん中には外筒第２爪４１ａ、一番右には外筒第３爪４２ａが設けられている。
【００８４】
なお、図示しないが、外筒１１は、環状となった外筒１１の円の中心に対して、点対称の位置に１対の外筒第１爪４０ａ、４０ｂを備える（１対の外筒第１爪を外筒第１爪４０という）。そして、外筒１１は、各外筒第１爪４０ａ、４０ｂから時計回り方向に約６０度ずれた位置に１対の外筒第２爪４１ａ、４１ｂを備える（１対の外筒第２爪を外筒第２爪４１という）。さらに、外筒１１は、外筒第２爪４１ａ、４１ｂから時計回り方向に約６０度ずれた位置に外筒第３爪４２ａ、４２ｂを備える（１対の外筒第３爪を外筒第３爪４２という）。
【００８５】
図９（ａ）において、外筒第３爪４２ａが内筒第３爪１３ｃを掛止している。このとき、外筒第１爪４０ａと外筒第２爪４１ａは、いずれの内筒爪１３も掛止していない。また、外筒第１爪４０ａと外筒第２爪４１ａとの挿入方向の間隔と、外筒第２爪４１ａと外筒第３爪４２ａとの挿入方向の間隔とは、距離Ｐ６である。内筒爪１３が設けられた間隔である距離Ｐ１と距離Ｐ６との関係は次式（６）で表すことができる。
【００８６】
Ｐ６＝Ｐ１×２／３・・・（６）
【００８７】
図９（ａ）の状態から、内筒１２に外筒１１が挿入されると、外筒１１と内筒１２とは、図９（ｂ）の状態に移行する。即ち、外筒第３爪４２ａの内筒第３爪１３ｃに対する掛止が外れて、今度は外筒第１爪４０ａが内筒第４爪１３ｄを掛止する。このとき、外筒１１は、距離Ｐ７（内筒爪１３が設けられた間隔の１／３）だけフランジ１４側に移動する。
【００８８】
図９（ｂ）の状態から、内筒１２が外筒１１に挿入されると、外筒１１と内筒１２とは、図９（ｃ）の状態に移行する。即ち、外筒第１爪４０ａの内筒第４爪１３ｄに対する掛止が外れて、今度は外筒第２爪４１ａが内筒第３爪１３ｃを掛止する。このとき、外筒１１は、距離Ｐ７だけフランジ１４側に移動する。
【００８９】
同様に、内筒１２に外筒１１がさらに挿入される（外筒１１が挿入方向に移動する）と、外筒１１の外筒第２爪４１ａの内筒第３爪１３ｃに対する掛止が外れて、外筒第１爪４０ａ、外筒第２爪４１ａが内筒第３爪１３ｃ、内筒第２爪１３ｂを掛止するのよりも先に、外筒第３爪４２ａが内筒第２爪１３ｂを掛止する。これは、外筒第１爪４０ａが内筒第３爪１３ｃを掛止するためには、距離Ｐ１×２／３移動する必要があり、外筒第２爪４１ａが内筒第２爪１３ｂを掛止するためには、距離Ｐ１移動する必要があるのに対して、外筒第３爪４２ａが内筒第２爪１３ｂを掛止するためには、距離Ｐ１の１／３の距離を移動するだけで済むからである。以降も同様に、外筒１１は、外筒第１爪４０ａ、外筒第２爪４１ａ、外筒第３爪４２ａが掛止する内筒爪１３の組合せを変えながら内筒１２を掛止し、外筒１１は距離Ｐ１の１／３の距離ずつ挿入方向へ移動する。
【００９０】
即ち、第４実施形態では、外筒第１爪４０、外筒第２爪４１、外筒第３爪４２の挿入方向の間隔を第３実施形態よりも広げたにもかかわらず、外筒１１が移動する距離を第３実施形態と同じくＰ１の１／３とすることができる。これにより、外筒第１爪４０、外筒第２爪４１、外筒第３爪４２の挿入方向の間隔や内筒爪１３の間隔を狭めることなく、外筒１１が段階的に移動する移動距離を短くすることができる。そのため、コードブッシング１０を工業的に加工する場合に、高度な精度を求めなくても、壁の厚さによらず、外筒１１と第１空間側の壁面との隙間、第２空間側の壁面と内筒１２との隙間を減らして壁を挟持することができる。よって、不良品の発生を減らすことができ、コードブッシング１０の生産効率を上げることができるという効果がある。
【００９１】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分と交換等することにより、その実施形態を変形して構成するようにしても良い。また、上記各実施形態で挙げた数値は一例であり、他の数値を採用することは当然可能である。
【００９２】
上記各実施形態では、外筒１１の接触面３２を支持部材３４により支持することで、第１空間側の壁面と弾接することを可能としているが、これに限定されるものではない。例えば、外筒１１の接触面３２の代わりに、内筒１２の当接面１７を弾性変形する部材で支持するような構成として第１空間側の壁面と弾接することができるようにしてもよい。また、外筒１１と内筒１２の両方が壁面と弾接することができるような構成としてもよい。
【００９３】
上記各実施形態では、内筒１２に８つの内筒爪１３を設け、外筒１１に２対又は３対の外筒爪を設けているが、爪の数はこれに限定されるものではない。例えば、厚い壁に使用する場合には、内筒１２の円筒１６の左右方向の長さを長くし、内筒爪１３の数を増やしてもよい。また、内筒１２と外筒１１との爪の数を入れ替えてもよい。例えば、外筒１１に８対の爪を設け、内筒１２に２つの爪を設けてもよい。
【００９４】
上記各実施形態では、内筒爪１３は円筒１６に環状に設けられている。また、１対の外筒第１爪３０と１対の外筒第２爪３１とは外筒１１の内周面から突出して設けられているが、これらの爪の形状は、これに限定されるものではない。外筒爪を対とする必要はなく、例えば、外筒１１の内周面に環状に設けてもよい。
【００９５】
上記各実施形態では、掛止状態を解除する手段は設けられていないが、例えば、外筒１１の円周の一部に切れ目を設けて、外筒１１の内径を変化させることができるような構成とし、内径を広げることで外筒１１の内筒１２に対する掛止を解消できるようにしてもよい。
【００９６】
上記各実施形態では、外筒１１の円心に対して点対称となるように１対の爪（外筒第１爪、外筒第２爪、外筒第３爪）を設けたが、これに限定されるものではない。例えば、爪の数は少なくとも１つあればよい。但し、爪の数は複数ある方が好ましい。また、爪の数を複数とした場合、外筒１１の円心の同心円上に配置すればよい。このとき、外筒１１の円心の同心円上に、複数の爪を等間隔に配置することがより好ましい。
【００９７】
上記各実施形態では、内筒１２の内筒爪１３は環状に設けられているが、これに限定されるものではない。例えば、外筒第１爪３０、外筒第２爪３１、外筒第１爪４０、外筒第２爪４１、外筒第３爪４２が掛止する部分だけに爪を設けるようにしてもよい。この場合、外筒１１を円周方向に回転させたときに外筒第１爪３０、外筒第２爪３１、外筒第１爪４０、外筒第２爪４１、外筒第３爪４２のいずれもが内筒爪１３を掛止しない位置が存在するような構成としてもよい。このような構成とすることで、外筒１１が内筒１２を掛止した状態を保つことができる一方で、掛止状態を解除したい場合は、外筒１１を円周方向に回転させるだけで簡単に外筒１１を内筒１２から取り外すことができるという効果がある。
【００９８】
上記各実施形態では、外筒１１を壁の左側、内筒１２を壁の右側に配置するようにした例を示したが、これに限定されるものではない。例えば、外筒１１を壁の右側、内筒１２を壁の左側に配置してもよい。その場合、壁の右側の空間が第１空間となり、壁の左側の空間が第２空間となる。
【符号の説明】
【００９９】
１０                コードブッシング
１１                外筒
１２                内筒
１３                内筒爪（第２掛止手段）
１７                当接面（第２接触手段）
３０                外筒第１爪（第１接触手段の一部）
３１                外筒第２爪（第１接触手段の一部）
３２                接触面（第１接触手段）
３４                支持部材（弾性手段）
【図１】
2020084990.tif 000003
【図２】
2020084990.tif 000004
【図３】
2020084990.tif 000005
【図４】
2020084990.tif 000006
【図５】
2020084990.tif 000007
【図６】
2020084990.tif 000008
【図７】
2020084990.tif 000009
【図８】
2020084990.tif 000010
【図９】
2020084990.tif 000011